(57)【特許請求の範囲】
【請求項１】
底板を有して上向きに開放したトレイ状の板金製天枠体と、前記天枠体を下方から支持する脚装置とを備えており、前記天枠体で天板が支持される構成であって、
前記天枠体における底板の上面又は下面若しくは上下両面に、平面視で前記脚装置と重なる補強部材が配置されている一方、
前記脚装置は複数本の脚支柱を備えており、前記脚支柱の上端には、当該脚支柱の外側に張り出したフランジが一体に又は別体に設けられており、前記脚支柱のフランジと前記補強部材と天枠体とが締着具で一体に締結されている、
作業台。
【発明の詳細な説明】
【技術分野】
【０００１】
本願発明は、作業台（テーブル，机）に関するものである。
【背景技術】
【０００２】
机の天板に対する脚支柱の取付け構造として、特許文献１では、四角筒型の脚支柱の上端に逆Ｌ字状のフランジを固定する一方、断面Ｚ字状の４本の部材の端部同士を溶接固定することにより平面視方形の枠杆を形成して、枠杆の上水平片の下面に前記脚支柱のフランジを当接させた状態で、枠杆の上水平片とフランジとを複数箇所で上下にねじ止めしている。
【０００３】
また、平面視矩形の縁板を前記枠杆の４方の外向きＬ字形の屈曲片に載せた状態で、枠杆の縦片と縁板とを横方向にねじ止めしている。さらに、前記枠杆上に載せた天板の上面を覆う化粧板の縁を、前記縁板の外側面に設けられた横向きの切り込みに食い込ませて固定している。
【０００４】
特許文献２では、スチール製デスクにおける天板（甲板）の前後端を湾曲させて、その内側に下向き開放のコ字型の補強杆を溶接固定し、さらに、天板（甲板）の中途部下面には、断面Ｚ字型の複数の補強杆を前記コ字型の補強杆と平行状に配置して、溶接固定している。一方、円筒状の脚支柱の上端の一部をＬ字形に切欠いて、その切欠き部に断面Ｌ字状の接合具を溶接固定し、その接合具をＺ字型の補強杆の縦片と下水平片の下面とに沿わせ、接合具の下片と前記下水平片とを上下方向にボルト（ねじ）止めしている。
【０００５】
更に、特許文献３，４に開示されているように、型鋼からなるパーツを溶接することにより、上下に開口した天枠体を構成することも行われている。他方、特許文献５では、天板を支持するための天枠体を、底板とその４側方を上向きに屈曲させた壁板とからなるトレイ状に形成し、天枠体に脚支柱を固定している。
【先行技術文献】
【特許文献】
【０００６】
【特許文献１】実公昭３８−１３５５２号公報
【特許文献２】実公昭３９−２９４２２号公報
【特許文献３】特許第２８７３３７０号公報
【特許文献４】特開２０１１−１７２８２９号公報
【特許文献５】特開２０１０−１７３０３８号号公報
【発明の概要】
【発明が解決しようとする課題】
【０００７】
特許文献１の構成では、枠杆の上水平片とフランジとを複数箇所で上下にねじ止めした箇所にねじの軸が上に突出するので、枠杆に載せる天板の下面と前記ねじの軸の突出部分が干渉しないようにするため、前記突出箇所に相当する天板の下面の箇所に凹部を予め形成しておかなければならず、さらに、天板の化粧板の縁が縁板の外側面に設けられた横向きの切り込みに食い込むことにより、当該天板の固定手段としているので、枠杆に対する天板の固定強度を大きくできず、また、天板の製作及び机の製作に手間が掛かるという問題があった。
【０００８】
特許文献２の構成では、スチール製の天板の下面に予め複数の補強杆をスポット溶接などにて固定するので、天板と補強杆との材質を共通させなければならず、さらに、天板の下面に補強杆が露出して外部から補強杆が見えるので体裁が悪いという問題があった。
【０００９】
また、特許文献３，４の構成では、型鋼等のパーツを溶接するのに多大の手間がかかるとともに、溶接に伴って歪みが発生しやすいため、高い寸法精度を確保しにくいといった問題があった。これに対して特許文献５の構成によると、天枠体は、１枚の鋼板を材料にして打ち抜きや曲げ加工で構成されるため、例えば金型を使用しない曲げ加工機を使用することで能率良く製造できると共に、高い寸法精度を確保できる利点がある。
【００１０】
本願発明はこのような現状に鑑み成されたものであり、天枠体を板金製品とする特許文献５を踏襲しつつ、堅牢性をアップさせること等を目的とするものである。
【課題を解決するための手段】
【００１１】
本願発明の作業台は、底板を有して上向きに開放したトレイ状の板金製天枠体と、前記天枠体を下方から支持する脚装置とを備えており、前記天枠体で天板が支持される構成であって、
前記天枠体における底板の上面又は下面若しくは上下両面に、平面視で前記脚装置と重なる補強部材が配置されている一方、
前記脚装置は複数本の脚支柱を備えており、前記脚支柱の上端には、当該脚支柱の外側に張り出したフランジが一体に又は別体に設けられており、前記脚支柱のフランジと前記補強部材と天枠体とが締着具で一体に締結されている。
この場合、補強部材と脚装置とは、平面視において少なくとも締結部の箇所で重なっておれば足り、全体的に重なっている必要はない。また、底板と補強部材との相互間を固定して、底板と脚装置とを固定するといったことも可能である。
【００１２】
【発明の効果】
【００１３】
本願発明によると、補強部材の存在により、天枠体の剛性を高めて、曲げやねじれに対する抵抗を向上できる。すなわち、天枠体は板金製品でありながら、剛性（堅牢性）を格段に向上できる。また、天枠体と補強部材と脚装置とは一体に固定されているので、締結構造を簡単化して組み立て能率のアップにも貢献できる。補強部材を天枠体の上面に配置すると、天枠体は外側に露出しないため、美観に優れている利点がある。
【図面の簡単な説明】
【００１４】
【図１】本発明に掛かる机の下方から見た斜視図である。
【図２】（Ａ）は天板を仮想線で示す机の平面図、（Ｂ）は図２（Ａ）のIIB −IIB 線で示す概略断面図である。
【図３】図２（Ａ）の III−III 線で示す天枠体の一部切欠き断面図である。
【図４】図２（Ａ）のIV−IV線で示す天枠体と脚支柱との取付け構造を示す一部切欠き側断面図である。
【図５】（Ａ）は天枠体と脚支柱との取付け構造を示す一部切欠き斜視図、（Ｂ）は締着具の別実施例を示す一部切欠き断面図である。
【図６】脚支柱の上端の装着体を示す平面図である。
【図７】天枠体と脚支柱との取付け構造の第２実施例を示す要部斜視図である。
【図８】天枠体と脚支柱との取付け構造の第３実施例を示す断面図である。
【図９】天枠体と脚支柱との取付け構造の第４実施例を示す断面図である。
【図１０】天枠体と脚支柱との取付け構造の第５実施例を示す断面図である。
【図１１】天枠体と脚支柱との取付け構造の第６実施例を示す断面図である。
【図１２】天枠体と脚支柱との取付け構造の第７実施例を示す断面図である。
【発明を実施するための形態】
【００１５】
次に、本願発明の実施形態（実施例）を図面に基づいて説明する。
【００１６】
(1).第１実施例（図１〜図６）
図１〜図６では第１実施例を示している。本発明に係る作業台１は、天板２と、この天板２を支持するためのトレイ状（浅い箱状又はシェル状と呼ぶことも可能である）の天枠体３と、この天枠体３の四隅を支持する４本の脚支柱４とを備えている。天板２と天枠体３とは平面視矩形（長方形）であり、脚支柱３は天枠体３の四隅部を片方から支持している。天板２はパーティクルボード、ハードボード、合板などの木製であるが、金属板製でも良い。天板２の表面（上面）に化粧板（図示せず）を貼着してもよい。
【００１７】
天枠体３は金属板（鋼板）を材料にして板金加工したもので、平面視矩形状の底板１０と、その４側方（四辺）を例えば３０ｍｍ程度立ち上げて形成した側板部（壁部）１１とを有しており、このため上向き開放のトレイ状の外観を呈している。四周の側板部１１のうち長辺側の箇所の断面を図３で示し、短辺側の箇所の断面を図４で示している。
【００１８】
長辺側の側板部１１は、底板１０から立ち上がる縦片１２と、縦片１２の上端で外向き水平（底板と平行）に屈曲したのち内向き水平（底板と平行）に屈曲した（すなわち２枚重ねに折り返された）外周縁片１３と、外周縁片１３の上面部を底板１０の上側で斜め下方向に向けて折り返し曲げて形成された内側補強片１４と、内側補強片１４の下端に設けられて底板１０の上面に重なった下水平片１５とからなる。
【００１９】
内側補強片１４と連結片１５と底板１０と縦片１２とにより囲まれた空間を形成することにより、天枠体３の剛性が高まっている。下水平片１５は複数箇所で底板１０にスポット溶接しているが、底板１０に当接させただけでもよい。内側補強片１４は鉛直姿勢であってもよい。
【００２０】
底板１０における短辺側の側板部１１は、底板１０から立ち上がる縦片１２と、縦片１２の上端で外向き水平（底板と平行）に屈曲したのち内向き水平（底板と平行）に屈曲させた（すなわち、２枚重ね状に折り返された）外周縁片１３とからなる。なお、長辺、短辺ともに、外周縁片１３となる２枚重ねの上下の板同士を所々スポット溶接にて固着してよい。また、外周縁片１３は下面部の先端から上面部を内向きに折り返しているが、上面部の先端から下面部を下向きに折り返してもよい。
【００２１】
天枠体３の底板１０の内面（上面）には、短辺に近接した部位とその間の中間部との３カ所に（少なくとも左右両端部に）に、天枠体３の短辺と平行に延びる断面コ字型の補強部材１７を固着している。補強部材１７は基本的には下向き開放のコ字型であって、その下端縁に外向きの一対のサイドフランジ片１９が屈曲形成されており、この一対のサイドフランジ片１９を底板１０の上面に当接させている。サイドフランジ片１９は、天枠体３の底板１０にスポット溶接にて固着してもよい。なお、補強部材１７は天枠体３の短辺の略全長に亙って延びる長さであるが、天枠体３のコーナー部のみに重なる構成であってもよい。補強部材１７は底板１０に溶接してもよいし、単に重ねただけでもよい（他の実施形態も同様である。）。
【００２２】
４本の脚支柱４はそれぞれ中空体であり、図１、図４〜図６に示すように、断面Ｃ字型で長手方向一側部に縦溝が開口している。脚支柱４の上端には、平面視ほぼ正方形の上板２０が溶接にて固着されている。上板２０の四周は脚支柱４の外側に張り出しており、このため、上板２０により、脚支柱４の外側に張り出したフランジが構成されている。
【００２３】
そして、このフランジ状の上板２０を底板１０のコーナー部の下面に下方から当接し、補強部材１７における一対のサイドフランジ片１９と、天枠体３の底板１０と、脚支柱４の上板２０とが締着具で一体に締結（共締め）されている。締着具として、ボルト２１とナット２２の対を使用している。補強部材１７のサイドフランジ片１９、天枠体３の底板１０、脚支柱４の上板２０にはボルト２１が貫通する取付け孔２３を穿設している（図４、図５（Ａ）参照）。
【００２４】
なお、図４、図５（Ａ）の実施例では、ボルト２１を上から補強部材１７等に挿通する構造になっているが、図５（Ｂ）に示すように、補強部材１７にナット２２を配置し、ボルト２１を上板２０側から螺着する構成であってもよい。いずれにしても、ナット２２をサイドフランジ片１９等に溶接しておくと、いちいちナット２２を手で保持しておく必要がないので、締結作業の手間を軽減できる。別の実施例としては、上板２０または一対のサイドフランジ片１９に雌ねじ部を形成して、これにボルトをねじ込む構造も採用できる。
【００２５】
作業台１の短辺側に配置した前後一対の脚支柱４は、その上下方向の中途部において補強用の横桟２５で連結されており、左右横桟２５の中途部は左右長手の縦桟２６で連結さされている。これにより、４本の脚支柱４を含む枠状の脚装置の剛性が高められている。脚支柱４、横桟２５、長手横桟２６を共に中空体とすることで、軽量化を図ることができる。各脚支柱４の下端にアジャスタ２４を設けているが、キャスタを設けてもよい。
【００２６】
天板２は、天枠体３における４側の外周縁片１３及び各補強部材１７で支持されている。そして、天板２は、天枠体３の各外周縁片１３にボルト（ビス）２８で締結されている。従って、天枠体３の各辺の外周縁片１３には、複数の取付け孔２７が空いている。他方、天板２には鬼目ナット２９を埋設している（図３、図４参照）。ビスを天板２に直接ねじ込むことも可能である。
【００２７】
上記のように、補強部材１７における一対のサイドフランジ片１９と、天枠体３の底板１０と、脚支柱４の上板２０とを締着具にて共締め固定しているため、底板１０の板厚さが薄くても、脚支柱４に対する取付け箇所の剛性（強度）が大きくなり、天枠体３は板金加工品でありながら外力にて容易に変形しない。そして、トレイ状の天枠体３の底板の上面に補強部材１７が配置されているから、この補強部材１７が外部から見えず、体裁が良くなる。
【００２８】
また、天枠体３と脚支柱４とを連結したのち、天枠体３上に天板２を載置してこれを固定すれば良いから、天板２を天枠体３と異なる材質（例えば木質）にするというように仕様変更が簡単に行える。また、天板２は天枠体３に一体に設けた外周縁片１３に締結しているため、ブラケットのような別部材を天枠体３に溶接等で固定する必要はなく、このため構造が簡単になると共にコストも抑制できる。
【００２９】
また、天枠体３の外周縁片１３は２枚重ね構造であるため強度を大きくすることができる。更に、外周縁片１３は、下面部の先端から上面部が内向きに折り返されているため、外周縁片１３の外周縁は丸みを持っており、従って、金属板の切断面が外部に露出せずに体裁が良いと共に安全性を確保できる。
【００３０】
(2).他の実施形態
次に、図７〜図１２に天枠体と脚支柱との取付け構造の他の実施例を示す。図７に示す第２実施例では、脚支柱３２を断面コ字型（Ｃ字型）とした場合において、開口溝３４を有する面と隣り合って相対向した２枚の側面板の上端を外向きに直角に屈曲させて取付け支持片３３とし、この一対の支持片３３及び脚支柱３２の上端部を平板状の上板３１の下面に溶接固着している。
【００３１】
そして、上板３１を天枠体３の底板１０の下面に当てて、補強部材１７における一対のサイドフランジ片１９と、天枠体３の底板１０と、脚支柱４の上板３１とをボルト２１及びナット２２からなる締着具１８にて共締め固定している。サイドフランジ片１９、底板１０、上板３１には、ボルト２１が貫通する取付け孔２３を予め穿設している。ナット２２はサイドフランジ片１９の上面に溶接しておいてもよい。
【００３２】
図８に示す第３実施例では、補強部材３５は上向き開放のコ字型であり、上端には外向きの一対のサイドフランジ片３６を備えている。補強部材３５の底辺３７を底板１０の上面にスポット溶接にて固着し、この底辺３７の上面の所定箇所（取付け孔２３の箇所）にナット２２を予め溶接している。
【００３３】
中空状などの脚支柱３８の上端に上板３９を固着し、上板３９の下面側からボルト（ねじ）２１を挿通してナット２２にねじ込むことで、補強部材３５の底辺３７と、天枠体３の底板１０と、脚支柱４の上板３９とが共締めされている。なお、ナット２２として板ナット（図示せず）を使用してもよい。サイドフランジ片３６にて天板２を支持するように構成すれば、天板２の荷重を天枠体３の外周縁片１３と補強部材３５とで分散支持できる。
【００３４】
図９に示す第４実施例では、補強部材４０は上向き開放のコ字型で、上端に内向きの一対のサイドフランジ片４１を備えている。この補強部材４０の底辺４２を底板１０の上面にスポット溶接にて固着し、この底辺４２の上面の所定箇所（取付け孔２３の箇所）に板ナット４３を予め溶接している。脚支柱３８の上端に上板３９を固着し、下方から挿通したボルト（ねじ）２１を板ナット４３にねじ込むことで、補強部材４０の底辺４２と、天枠体３の底板１０と、脚支柱４の上板３９とが共締めされている。なお、板ナット４３に代えて六角ナットを採用しても良い。サイドフランジ片４１にて天板２を支持するように構成すれば、天板２の荷重を天枠体３の外周縁片１３と補強部材４０とで分散支持できる。
【００３５】
図１０に示す第５実施例では、補強部材４４は断面矩形の中空状である。この補強部材４４を天枠体３の底板１０の上枠２の上面に溶接にて固着し、この底辺４５自体の所定箇所（取付け孔２３の箇所）に雌ねじ部４６を形成している。そして、脚支柱３８の上端に上板３９を固着し、上板３９の下面側から挿通したボルト（ねじ）２１を雌ねじ部４６にねじ込んで、補強部材４４の底辺４５と、天枠体３の底板１０と、脚支柱４の上板３９とを共締めしている。この実施例においても、補強部材４４の天辺４７にて天板２を支持するように構成すれば、天板２の荷重を天枠体３の外周縁片１３と補強部材４４とで分散支持できる。
【００３６】
図１１に示す第６実施例では、補強部材４８は断面矩形の中実で（角棒状又はブロック状）に形成されている。この補強部材４８を天枠体３の底板１０の上面に重ね配置し、この補強部材４８の下面側の所定箇所（取付け孔２３の箇所）に雌ねじ部４９を形成している。
【００３７】
そして、下方から挿通したボルト（ねじ）２１を補強部材４８の雌ねじ部４９にねじ込むことにより、補強部材４８と、天枠体３の底板１０と、脚支柱４の上板３９とを共締めしている。この実施例においても、補強部材４８の天面にて天板２を支持するように構成すれば、天板２の荷重を天枠体３の外周縁片１３と補強部材４８とで分散支持できる。
【００３８】
図１２に示す第７実施例では、補強部材５０は横向きＨ型の型材が使用されている。補強部材５０の底片５１を底板１０の上面にスポット溶接等にて固着し、この底片５１の上面の所定箇所（取付け孔２３の箇所）にナット５２を予め溶接している。ボルト（ねじ）２１を下方からナット５２にねじ込むことで、補強部材５０の底片５１と、天枠体３の底板１０と、脚支柱３の上板３９とを共締めしている。この実施例においても、補強部材５０の上片５３にて天板２を支持するように構成すれば、天板２の荷重を天枠体３の外周縁片１３と補強部材５０とで分散支持できる。
【００３９】
上記の各実施例においても、第１実施例と同様の効果を奏することができる。そして、補強部材は上記各実施例の形状に限らず、例えば、中空台形の型材、上下逆Ｔ字形状、Ｌ形など、任意の形状を採用することができる。中空状や溝形の脚支柱の側板の上端部を外向きに折り曲げることで、フランジを形成することも可能である。
【００４０】
本願発明は、上記の説明したものに限定されず、その主旨の範囲内において任意に変更実施することができるものである。例えば、脚支柱は上述の断面コ字型ばかりでなく、開口溝のない断面中空矩形や円筒状のものであってもよい。
【００４１】
さらに、天枠体３の四隅ばかりでなく長辺の中間部における補強部材の箇所にも脚支柱が底板を介して共締めされた構造であってもよい。さらに、天板及び天枠体が方形ばかりでなく、円形などの異型の場合にも適用できる。脚装置は棒足タイプには限定されず、例えば板状の構成とすることも可能である。更に、開放式又は引出し式の袖キャビネットを脚装置に兼用することも可能である。
【符号の説明】
【００４２】
１  作業台
２  天板
３  天枠体
４  脚支柱
１０  底板
１２  縦片
１３  外周縁片
１７、３５、４０、４４、４０、５０  補強部材
１８  締着具
１９  サイドフランジ片
２０、３１  上板
２１  締着具の一例を構成するボルト
２２  締着具の一例を構成するナット
【図１】
0005868201.tif 000002
【図２】
0005868201.tif 000003
【図３】
0005868201.tif 000004
【図４】
0005868201.tif 000005
【図５】
0005868201.tif 000006
【図６】
0005868201.tif 000007
【図７】
0005868201.tif 000008
【図８】
0005868201.tif 000009
【図９】
0005868201.tif 000010
【図１０】
0005868201.tif 000011
【図１１】
0005868201.tif 000012
【図１２】
0005868201.tif 000013